(57)【要約】【課題】自動仕訳された内容を確認するための処理が軽減できるシステムを提供する。【解決手段】会計支援システム１０は、複数の取引明細を含む会計証拠書類６０の第１の画像データ２を取得するインターフェイス１１と、複数の取引明細の各々の仕訳データ３と、第１の画像データの取引明細の表示個所とを関連させて表示可能な仕訳表示データ５を生成する仕訳処理ユニット３０とを有する。仕訳処理ユニットは、第１の画像データから文字情報などを読み取るＯＣＲユニット１３と、合計金額を抽出するユニット１５ａと、合計金額を分割した取引明細の取引金額の組み合わせに合致する組み合わせを抽出し、その組み合わせを構成する文字情報を仕訳対象データとして抽出するユニット１５ｂと、自動仕訳するユニット１６と、第１の画像データの取引明細を仕訳データと関連づけて仕訳表示データを生成するユニット１７とを含む。【選択図】図１
2020170566.tif 000002
【特許請求の範囲】
【請求項１】
複数の取引明細を含む会計証拠書類の第１の画像データを取得するユニットと、
前記複数の取引明細の各々の仕訳データと、前記第１の画像データ中の前記複数の取引明細の各々の表示個所とを関連させて表示可能な仕訳表示データを提供する仕訳処理ユニットとを有するシステム。
【請求項２】
請求項１において、
端末の画面上に、前記会計証拠書類と、前記複数の取引明細の各々の仕訳データに対応する仕訳を含む仕訳日記帳とを表示させる閲覧サポートユニットであって、
前記画面に表示された前記仕訳日記帳に含まれる第１の仕訳を選択すると、前記仕訳表示データに基づいて、前記画面に表示された前記会計証拠書類中の、前記複数の取引明細の中の前記第１の仕訳に対応する第１の取引明細に該当する行または領域を示すように構成された閲覧サポートユニットを、さらに有するシステム。
【請求項３】
請求項１において、
端末の画面上に、前記会計証拠書類と、前記複数の取引明細の各々の仕訳データに対応する仕訳を含む仕訳日記帳とを表示させる閲覧サポートユニットであって、
前記画面に表示された前記会計証拠書類に含まれる第２の取引明細に該当する行または領域を選択すると、前記仕訳表示データに基づいて、前記画面に表示された前記仕訳日記帳の中の、前記第２の取引明細に対応する第２の仕訳を示すように構成された閲覧サポートユニットを、さらに有するシステム。
【請求項４】
請求項１ないし３のいずれかにおいて、
前記仕訳処理ユニットは、前記第１の画像データから文字情報と、前記文字情報の表示位置とを関連付けして読み取る文字情報取得ユニットと、
前記表示位置および／または前記文字情報から、前記文字情報に含まれる前記複数の取引明細の取引金額の合計金額を抽出するユニットと、
前記文字情報に含まれる複数の数字情報の複数の組み合わせの中から、前記合計金額を分割した前記複数の取引明細の取引金額の組み合わせに合致する、第１の組み合わせを抽出し、前記文字情報の中の、前記第１の組み合わせを構成する各々の数値情報を含む行または領域の文字情報を前記複数の取引明細の各々の仕訳対象データとして抽出するユニットと、
前記仕訳対象データを仕訳して前記各々の仕訳データを生成するユニットと、
前記第１の画像データの前記第１の組み合わせを構成する各々の数値情報を含む行または領域を、前記複数の取引明細の各々の表示個所として前記各々の仕訳データと関連づけて前記仕訳表示データを生成するユニットとを含む、システム。
【請求項５】
複数の取引明細を含む会計証拠書類の第１の画像データを取得するユニットと、
前記複数の取引明細の各々の仕訳データを生成する仕訳処理ユニットとを有し、
前記仕訳処理ユニットは、前記第１の画像データから文字情報と、前記文字情報の表示位置とを関連付けして読み取る文字情報取得ユニットと、
前記表示位置および／または前記文字情報から、前記文字情報に含まれる前記複数の取引明細の取引金額の合計金額を抽出するユニットと、
前記文字情報に含まれる複数の数字情報の複数の組み合わせの中から、前記合計金額を分割した前記複数の取引明細の取引金額の組み合わせに合致する、第１の組み合わせを抽出するユニットと、
前記文字情報の中の、前記第１の組み合わせを構成する各々の数値情報を含む行または領域の文字情報を前記複数の取引明細の各々の仕訳対象データとして抽出するユニットと、
前記仕訳対象データを自動仕訳して前記仕訳データを生成するユニットとを含む、システム。
【請求項６】
請求項４または５において、
前記仕訳処理ユニットは、前記第１の画像データから読み取られた文字情報の一部の部分文字情報と、前記第１の画像データ中の前記部分文字情報に該当する部分画像データとをクラウドを介して作業者の端末に出力し、前記作業者から前記部分画像データの表示内容と前記部分文字情報との照合結果を収集する文字情報照合ユニットを含む、システム。
【請求項７】
請求項６において、
前記文字情報照合ユニットは、前記第１の画像データから読み取られた前記文字情報の内の照合対象の部分文字情報を除く他の部分文字情報に該当する他の部分画像データを解読不能に加工した照合用の画像データを生成する画像データ生成ユニットを含む、システム。
【請求項８】
複数の取引明細を含む会計証拠書類と、前記複数の取引明細の各々の仕訳を含む仕訳日記帳とを表示する画面と、
前記画面に表示された前記仕訳日記帳に含まれる第１の仕訳を選択すると、前記複数の取引明細の各々の仕訳と前記複数の取引明細の各々の表示個所とを関連させて表示可能な仕訳表示データに基づいて、前記画面に表示された前記会計証拠書類中の、前記複数の取引明細の中の前記第１の仕訳に対応する第１の取引明細に該当する行または領域を示し、前記画面に表示された前記会計証拠書類に含まれる第２の取引明細に該当する行または領域を選択すると、前記画面に表示された前記仕訳日記帳の中の、前記第２の取引明細に対応する第２の仕訳を示すように構成された閲覧サポートユニットとを有するシステム。
【請求項９】
複数の取引明細を含む会計証拠書類と、前記複数の取引明細の各々の仕訳を含む仕訳日記帳とを端末の画面上に表示することと、
前記画面に表示された前記仕訳日記帳に含まれる第１の仕訳を選択すると、前記複数の取引明細の各々の仕訳と前記複数の取引明細の各々の表示個所とを関連させて表示可能な仕訳表示データに基づいて、前記画面に表示された前記会計証拠書類中の、前記複数の取引明細の中の前記第１の仕訳に対応する第１の取引明細に該当する行または領域を示すことと、
前記画面に表示された前記会計証拠書類に含まれる第２の取引明細に該当する行または領域を選択すると、前記画面に表示された前記仕訳日記帳の中の、前記第２の取引明細に対応する第２の仕訳を示すこととを有する方法。
【請求項１０】
請求項９において、
さらに、前記会計証拠書類の第１の画像データを取得することと、
前記複数の取引明細の各々の仕訳に対応する仕訳データと、前記第１の画像データ中の前記複数の取引明細の各々の表示個所とを関連させた前記仕訳表示データを提供することとを有する、方法。
【請求項１１】
複数の取引明細を含む会計証拠書類の第１の画像データを取得することと、
前記複数の取引明細の各々の仕訳データと、前記第１の画像データ中の前記複数の取引明細の各々の表示個所とを関連させて表示可能な仕訳表示データを提供することとを有する方法。
【請求項１２】
請求項１１において、
前記会計証拠書類と、前記複数の取引明細の各々の仕訳データに対応する仕訳を含む仕訳日記帳とを端末の画面上に表示することと、
前記画面に表示された前記仕訳日記帳に含まれる第１の仕訳を選択すると、前記仕訳表示データに基づいて、前記画面に表示された前記会計証拠書類中の、前記複数の取引明細の中の前記第１の仕訳に対応する第１の取引明細に該当する行または領域を示すこととをさらに有する、方法。
【請求項１３】
請求項１１において、
前記会計証拠書類と、前記複数の取引明細の各々の仕訳データに対応する仕訳を含む仕訳日記帳とを端末の画面上に表示することと、
前記画面に表示された前記会計証拠書類に含まれる第２の取引明細に該当する行または領域を選択すると、前記仕訳表示データに基づいて、前記画面に表示された前記仕訳日記帳の中の、前記第２の取引明細に対応する第２の仕訳を示すこととをさらに有する、方法。
【請求項１４】
請求項１１ないし１３のいずれかにおいて、
前記仕訳表示データを提供することは、前記第１の画像データから文字情報と、前記文字情報の表示位置とを関連付けして読み取ることと、
前記表示位置および／または前記文字情報から、前記文字情報に含まれる前記複数の取引明細の取引金額の合計金額を抽出することと、
前記文字情報に含まれる複数の数字情報の複数の組み合わせの中から、前記合計金額を分割した前記複数の取引明細の取引金額の組み合わせに合致する、第１の組み合わせを抽出することと、
前記文字情報の中の、前記第１の組み合わせを構成する各々の数値情報を含む行または領域の文字情報を前記複数の取引明細の各々の仕訳対象データとして抽出することと、
前記仕訳対象データを仕訳けて前記各々の仕訳データを生成することと、
前記第１の画像データの前記第１の組み合わせを構成する各々の数値情報を含む行または領域を前記複数の取引明細の各々の表示個所として前記各々の仕訳データと関連づけて前記仕訳表示データを生成することとを含む、方法。
【請求項１５】
請求項１４において、
前記仕訳表示データを提供することは、前記第１の画像データから読み取られた文字情報の一部の部分文字情報と、前記第１の画像データ中の前記部分文字情報に該当する部分画像データとをクラウドを介して作業者の端末に出力し、前記作業者から前記部分画像データの表示内容と前記部分文字情報との照合結果を収集することをさらに含む、方法。
【請求項１６】
複数の取引明細を含む会計証拠書類の第１の画像データを取得することと、
前記複数の取引明細の各々の仕訳データを生成することとを有し、
前記仕訳データを生成することは、前記第１の画像データから文字情報と、前記文字情報の表示位置とを関連付けして読み取ることと、
前記表示位置および／または前記文字情報から、前記文字情報に含まれる前記複数の取引明細の取引金額の合計金額を抽出することと、
前記文字情報に含まれる複数の数字情報の複数の組み合わせの中から、前記合計金額を分割した前記複数の取引明細の取引金額の組み合わせに合致する、第１の組み合わせを抽出することと、
前記文字情報の中の、前記第１の組み合わせを構成する各々の数値情報を含む行または領域の文字情報を前記複数の取引明細の各々の仕訳対象データとして抽出することとを有する方法。
【請求項１７】
請求項１６において、
前記仕訳データを生成することは、前記第１の画像データから読み取られた文字情報の一部の部分文字情報と、前記第１の画像データ中の前記部分文字情報に該当する部分画像データとをクラウドを介して作業者の端末に出力し、前記作業者から前記部分画像データの表示内容と前記部分文字情報との照合結果を収集することをさらに含む、方法。
【請求項１８】
請求項１５または１７において、
前記照合結果を収集することは、前記第１の画像データから読み取られた前記文字情報の内の照合対象の部分文字情報を除く他の部分文字情報に該当する他の部分画像データを解読不能に加工した照合用の画像データを生成することを含む、方法。
【請求項１９】
請求項１ないし８のいずれかに記載のシステムとして、コンピュータを稼働する命令を有するプログラム。
【発明の詳細な説明】
【技術分野】
【０００１】
本発明は、仕訳を表示するためのシステムおよび方法に関するものである。
【背景技術】
【０００２】
特許文献１には、ユーザの取引の証拠となる証憑の仕訳先を出力する仕訳ユニットと、仕訳対象の証憑に含まれる複数の文字情報が証憑中の表記位置により分割された分割データを、仕訳対象の証憑を示す識別情報とともに、電子化のために異なる作業者に分散して送信する分散ユニットと、異なる作業者により電子化された、分割電子化された文字情報を取得し、分割電子化された文字情報から識別情報に基づき仕訳ユニットにより仕訳される仕訳対象データを生成する集約ユニットとを有する会計支援システムを提供することが記載されている。
【先行技術文献】
【特許文献】
【０００３】
【特許文献１】国際公開ＷＯ２０１６／１８６１３７号公報
【発明の概要】
【発明が解決しようとする課題】
【０００４】
仕訳日記帳に自動仕訳された仕訳を、会計証拠書類である証憑、例えば、請求書、領収書などの記載と突合せて、仕訳内容を確認または照合することは、仕訳を会計ソフトなどの会計システムに取り込む前の手続きとして重要である。仕訳が自動的に生成されると、自動仕訳された内容を確認するための処理が必要となり、突合せ処理（突合）の労力の軽減が要望されている。
【課題を解決するための手段】
【０００５】
本発明の一態様は、複数の取引明細を含む会計証拠書類の第１の画像データを取得するユニットと、複数の取引明細の各々の仕訳データと、第１の画像データ中の複数の取引明細の各々の表示個所とを関連させて表示可能な仕訳表示データを提供する仕訳処理ユニットとを有するシステムである。この仕訳表示データに基づいて、会計証拠書類と、複数の取引明細の各々の仕訳データに対応する仕訳を含む仕訳日記帳とを画面に表示し、仕訳日記帳に含まれる第１の仕訳をクリックなどの動作により選択すると、画面に表示された会計証拠書類中の、複数の取引明細の中の第１の仕訳に対応する第１の取引明細を示すようにすることができる。逆に、画面に表示された会計証拠書類に含まれる第２の取引明細を選択すると、画面に表示された仕訳日記帳の中の、第２の取引明細に対応する第２の仕訳を示すようにすることができる。
【０００６】
したがって、画面上で、仕訳日記帳のそれぞれの仕訳と、その仕訳の証拠となる証憑とを突合せできるだけではなく、証拠書類に複数の取引明細が含まれる場合であっても、個々の取引明細と、それに対応する仕訳とを画面上で簡単に突合せして照合できる。このため、仕訳された内容と、その証拠書類の記載内容との照合の作業の労力を大幅に低減できる。
【０００７】
このシステムは、端末の画面上に、会計証拠書類と複数の取引明細の各々の仕訳データに対応する仕訳を含む仕訳日記帳とを表示させる閲覧サポートユニットを含んでいてもよい。閲覧サポートユニットは、画面に表示された仕訳日記帳に含まれる第１の仕訳を選択すると、仕訳表示データに基づいて、画面に表示された会計証拠書類中の、複数の取引明細の中の第１の仕訳に対応する第１の取引明細に該当する行または領域を示すように構成されてもよい。閲覧サポートユニットは、画面に表示された会計証拠書類に含まれる第２の取引明細に該当する行または領域を選択すると、仕訳表示データに基づいて、画面に表示された仕訳日記帳の中の、第２の取引明細に対応する第２の仕訳を示すように構成されてもよい。
【０００８】
本発明の他の態様の１つは、複数の取引明細を含む会計証拠書類と複数の取引明細の各々の仕訳を含む仕訳日記帳とを表示する画面と、上記のように構成された閲覧サポートユニットとを有するシステム、例えば、ユーザー端末である。複数の取引明細を含む会計証拠書類と、複数の取引明細に対応するそれぞれの仕訳とを関連して表示することができる。
【０００９】
閲覧サポートユニットは、コンピュータネットワーク、例えばインターネットなどのクラウドを介してユーザーの端末に仕訳日記帳を表示するように構成されていてもよい。閲覧サポートユニットは、アプリケーション（プログラム、プログラム製品）として供給し、ユーザーの端末にダウンロードされて、スタンドアロンあるいはクラウドを介して仕訳日記帳を表示するように構成されていてもよい。
【００１０】
仕訳処理ユニットは、第１の画像データから文字情報と、文字情報の表示位置とを関連付けして読み取る文字情報取得ユニットと、表示位置および／または文字情報から、文字情報に含まれる複数の取引明細の取引金額の合計金額を抽出するユニットと、文字情報に含まれる複数の数字情報の複数の組み合わせの中から、合計金額を分割した複数の取引明細の取引金額の組み合わせに合致する、第１の組み合わせを抽出し、文字情報の中の、第１の組み合わせを構成する各々の数値情報を含む行または領域の文字情報を複数の取引明細の各々の仕訳対象データとして抽出するユニットと、仕訳対象データを仕訳けて各々の仕訳データを生成するユニットと、第１の画像データの第１の組み合わせを構成する各々の数値情報を含む行または領域を複数の取引明細の各々の表示個所として各々の仕訳データと関連づけて仕訳表示データを生成するユニットとを含んでもよい。
【００１１】
この仕訳処理ユニットは、１つの証拠書類に含まれる複数の取引明細の金額が、その証拠書類に含まれる合計金額に合致する組み合わせを構成するという観点から、個々の取引明細の内容および表示個所を自動的に判別し、抽出することにより各々の取引明細に対応する仕訳データを生成できる。さらに、第１の組み合わせに基づいて、取引明細と仕訳データを関連付けして仕訳表示データを生成できる。
【００１２】
本発明の他の態様の１つは、複数の取引明細を含む会計証拠書類の第１の画像データを取得するユニットと、複数の取引明細の各々の仕訳データを生成する仕訳処理ユニットとを有するシステムである。仕訳処理ユニットは、第１の画像データから文字情報と、文字情報の表示位置とを関連付けして読み取る文字情報取得ユニットと、表示位置および／または文字情報から、文字情報に含まれる複数の取引明細の取引金額の合計金額を抽出するユニットと、文字情報に含まれる複数の数字情報の複数の組み合わせの中から、合計金額を分割した複数の取引明細の取引金額の組み合わせに合致する、第１の組み合わせを抽出するユニットと、文字情報の中の、第１の組み合わせを構成する各々の数値情報を含む行または領域の文字情報を複数の取引明細の各々の仕訳対象データとして抽出するユニットと、仕訳対象データを自動仕訳して仕訳データを生成するユニットとを含む。１つの証拠書類に含まれる複数の取引明細の金額は、その証拠書類に含まれる合計金額に合致する組み合わせを構成するという観点に基づいて、複数の取引明細を含む会計証拠書類から、各々の取引明細に関する仕訳データを自動的に抽出できる。
【００１３】
仕訳処理ユニットは、第１の画像データから読み取られた文字情報の一部の部分文字情報と、第１の画像データ中の部分文字情報に該当する部分画像データとをクラウドを介して作業者の端末に出力し、作業者から部分画像データの表示内容と部分文字情報との照合結果を収集する文字情報照合ユニットを含んでもよい。証拠書類に記載された金額などに関する画像と文字情報とを、クラウドを介して１または複数の作業者により照合することにより、証拠書類から読み取られた文字情報の精度を向上できる。したがって、証拠書類に記載された合計金額に基づいて、複数の取引明細を自動的に判別する処理の精度を向上できる。
【００１４】
文字情報照合ユニットは、第１の画像データから読み取られた文字情報の内の、照合対象の部分文字情報を除く他の部分文字情報に該当する他の部分画像データを解読不能に加工した照合用の画像データを生成する画像データ生成ユニットを含んでもよい。解読不能な加工の一例はモザイク加工である。
【００１５】
本発明の他の態様の１つは、会計証拠書類と仕訳とを突合（照合）する方法であり、以下のステップを含む。
１．複数の取引明細を含む会計証拠書類と、複数の取引明細の各々の仕訳を含む仕訳日記帳とを端末の画面上に表示すること。
２．画面に表示された仕訳日記帳に含まれる第１の仕訳を選択すると、複数の取引明細の各々の仕訳と複数の取引明細の各々の表示個所とを関連させて表示可能な仕訳表示データに基づいて、画面に表示された会計証拠書類中の、複数の取引明細の中の第１の仕訳に対応する第１の取引明細に該当する行または領域を示すこと。
３．画面に表示された会計証拠書類に含まれる第２の取引明細に該当する行または領域を選択すると、画面に表示された仕訳日記帳の中の、第２の取引明細に対応する第２の仕訳を示すこと。
【００１６】
本発明の他の態様の１つは、仕訳を行う方法であって、複数の取引明細を含む会計証拠書類の第１の画像データを取得することと、複数の取引明細の各々の仕訳データと、第１の画像データ中の複数の取引明細の各々の表示個所とを関連させて表示可能な仕訳表示データを提供することとを有する。
【００１７】
仕訳表示データを提供することは、第１の画像データから文字情報と、文字情報の表示位置とを関連付けして読み取ることと、表示位置および／または文字情報から、文字情報に含まれる前記複数の取引明細の取引金額の合計金額を抽出することと、文字情報に含まれる複数の数字情報の複数の組み合わせの中から、合計金額を分割した前記複数の取引明細の取引金額の組み合わせに合致する、第１の組み合わせを抽出することと、文字情報の中の、第１の組み合わせを構成する各々の数値情報を含む行または領域の文字情報を複数の取引明細の各々の仕訳対象データとして抽出することと、仕訳対象データを仕訳けして仕訳データを生成することと、第１の画像データの第１の組み合わせを構成する各々の数値情報を含む行または領域を複数の取引明細の各々の表示個所として各々の仕訳データと関連づけて仕訳表示データを生成することとを含んでもよい。
【００１８】
本発明の他の態様の１つは、仕訳データを生成する方法である。この方法は、複数の取引明細を含む会計証拠書類の第１の画像データを取得することと、複数の取引明細の各々の仕訳データを生成することとを有し、仕訳データを生成することは、第１の画像データから文字情報と、文字情報の表示位置とを関連付けして読み取ることと、表示位置および／または文字情報から、文字情報に含まれる複数の取引明細の取引金額の合計金額を抽出することと、文字情報に含まれる複数の数字情報の複数の組み合わせの中から、合計金額を分割した複数の取引明細の取引金額の組み合わせに合致する、第１の組み合わせを抽出することと、文字情報の中の、第１の組み合わせを構成する各々の数値情報を含む行または領域の文字情報を複数の取引明細の各々の仕訳対象データとして抽出することとを有する。
【００１９】
仕訳表示データを提供すること、および、仕訳データを生成することは、第１の画像データから読み取られた文字情報の一部の部分文字情報と、第１の画像データ中の部分文字情報に該当する部分画像データとをクラウドを介して作業者の端末に出力し、作業者から部分画像データの表示内容と部分文字情報との照合結果を収集することを含んでいてもよい。照合結果を収集することは、第１の画像データから読み取られた文字情報の内の照合対象の部分文字情報を除く他の部分文字情報に該当する他の部分画像データを解読不能に加工した照合用の画像データを生成することを含んでいてもよい。
【００２０】
本発明の他の態様の１つは、上記に記載のシステムとして、コンピュータを稼働する命令を有するプログラムまたはプログラム製品であり、プログラムまたはプログラム製品は、ＣＤ−ＲＯＭ、フラッシュメモリなどの適当な記録媒体に記録して提供することができる。
【図面の簡単な説明】
【００２１】
【図１】会計サービスシステムの一例を示すブロック図。
【図２】会計証拠書類（証憑、請求書）の一例を示す図。
【図３】会計証拠書類の文字情報の一例を示す図。
【図４】照合用の画像データの一例を示す図。
【図５】仕訳日記帳の閲覧画面の一例を示す図。
【図６】仕訳日記帳の閲覧画面で他のエントリーを選択した図。
【図７】仕訳日記帳の閲覧画面でさらに異なる他のエントリーを選択した図。
【図８】会計支援システムの処理の概要を示すフローチャート。
【図９】照合用の画像データを生成する処理の概要を示すフローチャート。
【図１０】突き合わせ用の画面の表示方法の概要を示すフローチャート。
【発明を実施するための形態】
【００２２】
図１に、会計サービスシステムの一例を示している。この会計サービスシステム１は、ユーザーから提供される証憑（証憑類）、たとえば、経費精算の証憑類の整理と仕訳作業とを行うシステムである。ユーザーは、個人および会社であってもよく、個人あるいは会社を顧問先とする会計事務所および税理士事務所であってもよく、会計事務を要求されるその他の組織であってもよい。この会計サービスシステム１においては、ユーザーの会計システム２０の画像化ユニット（画像データ化機能、画像データ生成モジュール、画像データ生成手段）２１が、インターネット（クラウド）９により接続された会計支援システム１０に対し、証憑類の原本（会計証拠書類）を画像データ（第１の画像データ）２に変換してアップロードする。
【００２３】
会計支援システム１０においては、会計証拠書類の画像データ（第１の画像データ）２を取得した後、画像データ２に含まれる取引明細を自動仕訳した仕訳データ３を生成する。ユーザーの会計システム２０は、仕訳データ３をダウンロードし、自社の会計システムまたは会計ソフト２７に取り込む。この際、会計支援システム１０は、画像データ２として提供された会計証拠書類に含まれる複数の取引明細の各々の表示個所と仕訳データ３とを関連させて表示可能な仕訳表示データ５を生成および提供し、ユーザーの会計システム２０の端末２５において、仕訳データ３を含む仕訳日記帳（元帳）７と会計証拠書類６０とを表示して突き合わせする照合機能（突き合わせ機能）２６をサポートする。
【００２４】
本明細書において、仕訳表示データ５を提供することは、仕訳表示データ５をユーザーが端末２５を介して利用可能な状態にすることを意味する。会計支援システム１０は、ユーザーの会計システム２０の端末２５が仕訳表示データ５をダウンロード可能な状態で提供してもよく、端末２５が会計支援システム１０の提供するウェブサイトなどを介して、仕訳表示データ５をダウンロードせずに仕訳日記帳７の仕訳と会計証拠書類の取引とが照合できるようにしてもよい。照合機能２６により、ユーザーは、端末２５において、仕訳日記帳７を、会計証拠書類６０を含めて表示させることができ、仕訳表示データ５を利用して、個々の仕訳データ３と会計証拠書類６０に含まれる個々の取引明細との突合せが可能となる。
【００２５】
会計支援システム１０は、複数の取引明細を含む会計証拠書類の第１の画像データ２を取得するユニット（インターフェイス、機能、モジュール）１１と、顧客（ユーザー）毎の会計証拠書類のデータを蓄積するデータベース１２と、仕訳表示データ５を生成して提供する仕訳処理ユニット（仕訳処理装置、仕訳処理モジュール）３０とを有する。仕訳表示データ５は、複数の取引明細の各々の仕訳データ３と、第１の画像データ２の中の複数の取引明細の各々の表示個所とを関連させて表示可能としたデータである。会計支援システム１０は、さらに、ユーザーの端末２５の画面上に、仕訳表示データ５に基づいて、第１の画像データ２により表示される会計証拠書類と、複数の取引明細の各々の仕訳データ３に対応した仕訳を含む仕訳日記帳７とを表示させる閲覧サポートユニット１９を含む。会計支援システム１０は、サーバ４１などの、メモリ、ＣＰＵなどのコンピュータ資源を備えた装置を用いて実装することが可能であり、会計支援システム１０としての機能は、サーバ４１にダウンロードされて稼働するプログラムであって、会計支援システム１０としての機能を実現するための命令を含むプログラム（プログラム製品）４５により、適当な記録媒体に記録して提供してもよい。プログラム（プログラム製品）４５は、ＣＰＵにより以下で説明する各ユニット（各機能、各モジュール）を実現するための命令を含む。例えば、プログラム４５は、サーバ４１のメモリ４８に格納され、ＣＰＵ４７がプログラム４５をダウンロードして実行することにより仕訳処理ユニット３０などの機能を提供してもよい。
【００２６】
仕訳処理ユニット３０は、第１の画像データ２から文字情報３１と、文字情報３１の表示位置３２とを関連付けして読み取るＯＣＲユニット（文字情報取得ユニット、ＯＣＲ機能、ＯＣＲモジュール）１３を有する。ＯＣＲユニット１３は、第１の画像データ２により供給された会計証拠書類に含まれる情報を、文字情報３１と表示位置３２とを含むデジタルデータ３３に変換する。ＯＣＲユニット１３は、画像データを文字情報３１に変換するＯＣＲエンジンを内蔵していてもよく、インターネット９を介して、クラウド上に開放されているＯＣＲエンジンを利用して文字情報３１を取得してもよい。
【００２７】
図２に、会計証拠書類（証拠書類）６０の一例を示している。証拠書類６０の一例である請求書６０ａには様々な情報が含まれる。請求書６０ａは、例えば、会計証拠書類６０の名称６１、整理番号６２、発行日６３、発行先６４、発行元６５、請求金額６６、明細の記述６７、取引明細の詳細７０、取引の概要情報６８、振込先の情報６９などを含む。会計証拠書類６０としての証憑には、さらに、発行元の宣伝広告、証憑が発行された理由、証憑に付随した処理用の内容など、仕訳に有用な情報のみならず、仕訳に不要な情報も含まれていることが多い。
【００２８】
図３に、証拠書類６０の画像データ２をＯＣＲユニット１３によりデジタルデータ３３に変換した例を示している。図３には、デジタルデータ３３が画像に貼りついた状態で示しているが、実際は、ＯＣＲユニット１３により、数字、漢字およびその他のシンボルを含む文字情報３８は、例えば、テキストデータとして提供されてもよく、位置情報３２はＬＯＧデータとして提供されてもよく、文字情報３８および位置情報３２が、ＴＳＶ、ＣＳＶなどの形式のファイルで提供されてもよい。さらに、ＯＣＲユニット１３においては、証拠書類６０の画像データ２において、一連と判断される領域の文字情報３８が部分文字情報３１として一体で読み取られ、部分文字情報３１に対応する領域の画像データが部分画像データ３５として切り出され、図１に示すライブラリ３９に保存される。したがって、証拠書類６０から得られた文字情報３８は、部分文字情報（文字情報）３１の集合である。
【００２９】
仕訳処理ユニット３０は、さらに、ＯＣＲユニット１３により読み取られた文字情報３１などを、クラウド９を介して複数のクラウドワーカー９５に分散して確認（照合）する文字情報照合ユニット（クラウドワーカーサポートユニット、文字情報照合機能、文字情報照合モジュール）１４と、デジタルデータ３３から複数の取引明細を自動判別する自動判別ユニット（自動判別機能、自動判別モジュール）１５と、取引明細から仕訳データ３を生成する仕訳エンジン（仕訳エンジンモジュール）１６と、証拠書類６０の各取引明細と対応する仕訳データ３とを関連付けて表示する仕訳表示データ５を生成する仕訳表示データ生成ユニット（生成機能、生成モジュール）１７とを含む。仕訳表示データ５は、出力ライブラリ３７に格納され、データ管理ユニット１８を介してユーザーの会計システム２０に対して提供される。
【００３０】
文字情報照合ユニット１４は、１または複数の作業者にクラウド９を介して接続して文字情報３１を確認および照合するサービスを提供する。文字情報照合ユニット１４は、第１の画像データ２から読み取られた文字情報の一部の部分文字情報３１と、第１の画像データ２の中の部分文字情報３１に該当する部分画像データ３５とをクラウド９を介して１または複数の作業者９５の端末に出力し、それらの作業者９５から部分画像データ３５の表示内容と部分文字情報３１との照合結果（確認結果）を収集する。各々の作業者９５には、証拠書類６０の一部、例えば、書類に付された整理番号６２の部分文字情報３１と部分画像データ３５とが供給される。
【００３１】
作業者９５は、整理番号６２のみに関して、部分画像データ３５の表示内容と部分文字情報３１とを照合し、部分文字情報３１に誤りがあれば、それを修正する。このため、各々の作業者９５は、証拠書類６０のどの部分の情報、または、どの会社の情報を照合しているかは不明となり、証拠書類６０の内容についての秘匿性を担保しながら、各々の文字情報３１の変換精度（読み取り精度）を大幅向上できる。また、同一の部分の部分文字情報３１と部分画像データ３５とを複数の作業者９５に分散して確認したり、同一の作業者９５に時間をずらして確認させることにより、さらに、文字情報３１の精度を向上できる。
【００３２】
図４に、部分画像データ３５に含まれる情報の一例を示している。文字情報照合ユニット１４は、第１の画像データ２から読み取られた全文字情報３８の内の、照合対象の部分文字情報３１を除く他の部分文字情報に該当する他の部分画像データ３５ａを解読不能に加工した照合用の画像データ９０を生成する照合用画像データ生成ユニット（生成モジュール、生成機能）１４ａを含んでいてもよい。図４に示した例では、発行元６５を示す文字情報３１が、照合を行う作業者９５に秘匿される、他の部分文字情報として設定されている。このため、照合用画像データ９０では、発行元６５を示す画像データが、秘匿される部分画像データ３５ａとしてモザイク処理され、作業者９５からは文字が判別できないようにされている。また、振込先の情報６９に含まれている発行元の会社名を示す画像データも、秘匿される部分画像データ３５ａとしてモザイク処理され、作業者９５からは文字が判別できないようにされている。この例では、作業者９５により、発行元６５を除く、他の証拠書類６０の文字情報３１が照合されるが、発行元６５は不明となるので、情報の秘匿性を担保できる。
【００３３】
作業者９５に対し、秘匿される部分画像データ３５ａは、モザイクに変換されてもよく（モザイク処理）、秘匿される部分画像データ３５ａが照合用画像データ９０から削除されてもよく（白抜き処理）、黒などの色で塗りつぶされてもよい。秘匿される部分画像データ３５ａを縮小した後に拡大することにより画像データの一部が失われてモザイク画像に変換され、判別できない文字が存在していることを示す情報は照合用画像データ９０に保存される。ある作業者９５に対して秘匿された部分画像データ３５ａは、他の作業者９５に対して、その部分画像データ３５ａに限定して（他の部分画像データを含まず）確認させてもよく、発行元６５の情報については作業者９５による確認対象とせずに、仕訳処理ユニット３０においてユーザー識別情報として優先的に処理されるようにしてもよい。
【００３４】
自動判別ユニット１５は、表示位置３２および／または文字情報３１から、文字情報に含まれる複数の取引明細の取引金額の合計金額を抽出するユニット（合計金額抽出ユニット、合計金額抽出機能、合計金額抽出モジュール）１５ａと、文字情報３１に含まれる複数の数字情報の複数の組み合わせの中から、合計金額を分割した複数の取引明細の取引金額の組み合わせに合致する、第１の組み合わせを抽出し、文字情報の中の、第１の組み合わせを構成する各々の数値情報を含む行または領域の文字情報を複数の取引明細の各々の仕訳対象データとして抽出するユニット（取引明細抽出ユニット、取引明細抽出機能、取引明細抽出モジュール）１５ｂとを含む。
【００３５】
図３に示すように、証拠書類６０の文字情報３１には、通常、数多くの数字情報が含まれる。例えば、請求書番号６２、日付６３、請求金額６６、口座情報６９などがある。さらに、取引明細の詳細７０にも、数量７１、単価７２、各取引の合計金額（小計）７３などが含まれる可能性がある。また、概要情報６８にも、すべての取引の合計金額７５に加えて、消費税額７６、請求金額６６などが含まれる可能性がある。合計金額抽出ユニット１５ａは、文字情報（部分文字情報）３１に含まれる「合計」、「総額」などの取引金額の合計金額を示唆する文字列を認識し、それらに基づいて合計金額であることが想定される数字情報７５を抽出する。また、合計金額抽出ユニット１５ａは、合計金額は多くの場合、証拠書類６０の下側、または左側などに表示されることから、文字情報３１とともに表示位置３２から合計金額であることが想定される数字情報７５を抽出する。さらに、税額７６および総額７７などの「合計金額」に関わる他の文字列を認識し、それらに関わる数字情報の組み合わせ（計算）を含めて、合計金額を示す数字情報７５を抽出してもよい。
【００３６】
合計金額７５を抽出するアルゴリズムはこれらに限定されない。数字情報を含む部分文字情報３１の精度が高くなければ、自動的に合計金額７５を抽出することは難しいことが多い。会計支援システム１０においては、ＯＣＲユニット１３の読み取り精度が不足する場合であっても、部分文字情報３１をクラウドワーカー（作業者）９５により確認することにより、部分文字情報３１の精度を担保できる。
【００３７】
取引明細抽出ユニット１５ｂは、証拠書類６０から抽出された部分文字情報３１のうち、数字情報として認識された部分文字情報３１の様々な組み合わせを想定する。数量７１、単価７２、取引単位の金額７３においても、それらの部分文字情報３１が分離されて認識されているとは限らず、連続した数字情報として認識されていたり、金額７３が分断されて認識されている場合もあり得る。取引単位の金額７３の合計と、合計金額７５とは完全一致するので、合計金額７５に該当する数値情報を含む部分文字情報３１の組み合わせ（第１の組み合わせ）７９は、基本的に一義的に決定できる。
【００３８】
組み合わせを選択するために用いることが可能な基準（スクリーニング、フィルタリング）の１つは、例えば、合計金額７５が抽出されている場合は、取引の金額７３が合計金額７５をオーバーすることはあり得ないので、そのような数値が含まれる組み合わせを排除することである。また、金額の表示位置で、組み合わせに用いられる金額を選別してもよい。すなわち、証拠書類６０の中における、取引単位の金額７３の表示位置は共通することがほとんどである。このため、第１の組み合わせ７９を抽出する際に、表示位置３２を参照してもよい。
【００３９】
取引明細抽出ユニット１５ｂは、さらに、文字情報３１の中の、第１の組み合わせ７９を構成する各々の数値情報７３を含む行８１ａ〜８１ｃの文字情報８２ａ〜８２ｃを、複数の取引明細の各々の仕訳対象データ４として抽出する。図３に示した証拠書類６０には、３つの取引明細が含まれており、取引明細抽出ユニット１５ｂは、取引単位の金額７３を含む３つの行８１ａ〜８１ｃのそれぞれの行に含まれている、請求明細の文字情報７４、数量７１、単価７２、および金額７３をそれぞれの取引の文字情報８２ａ〜８２ｃとして認識し、仕訳対象データ４として抽出する。多くの証拠書類６０においては、複数の取引明細を含む場合、行単位で取引明細が記載されているが、列方向の他の情報が含まれているなどの場合は、他の情報を除いた領域単位で取引明細に関する文字情報を抽出してもよい。
【００４０】
仕訳エンジン１６は、仕訳対象データ４から仕訳データ３を生成するユニット（モジュール）として機能する。仕訳エンジン１６は、自動的に仕訳を行い、仕訳対象データ４の勘定科目を判定する。例えば、仕訳エンジン１６は、証拠書類６０の名称６１などから取引の方向と、計上および消込との組み合わせにより「収入計上」、「支出計上」、「入金消込」、「出金消込」を含むカテゴリーを自動判定したり、過去の仕訳日記帳（元帳）の仕訳を解析し、仕訳対象データ４に含まれる取引明細などの情報との距離に基づき仕訳対象データ４の勘定科目を決定したりする機能を含む。仕訳エンジン１６は、仕訳対象データ４を、会計帳簿として所定のフォーマットを備えた仕訳帳（仕訳日記帳）７に仕訳としてエントリーされる仕訳データ３に変換（生成）する。勘定科目などが追加されて仕訳けられた仕訳データ３は会計上の汎用データであり、様々なソフトウェア会社あるいはサービスプロバイダが提供している会計ソフト２７または会計システムに対して、仕訳データ３を介して取引の内容を自動的に入力することができる。
【００４１】
仕訳表示データ生成ユニット（生成機能、生成モジュール）１７は、自動判別ユニット１５において複数の取引明細を示すとして抽出された、第１の組み合わせ７９を構成する各々の数値情報７３を含む行８１ａ〜８１ｃの文字情報８２ａ〜８２ｃにそれぞれ対応する第１の画像データ２の領域（行）８５ａ〜８５ｃを部分画像データとして、それぞれの取引の仕訳データ３と関連付けて表示するための仕訳表示データ５を生成する。仕訳表示データ生成ユニット１７は、生成した仕訳表示データ５をそれぞれの取引明細に対応する部分画像データ８５ａ〜８５ｃは、それぞれの取引明細に含まれる部分文字情報３１の部分画像データ３５の組み合わせにより生成されてもよく、第１の組み合わせ７９を構成する数値情報７３が判明した後に、新たに、その数値情報７３を含む行（領域）８１ａ〜８１ｃを設定し、その行８１ａ〜８１ｃの部分画像データ８５ａ〜８５ｃを第１の画像データ２から抽出してもよい。
【００４２】
会計支援システム１０は、ユーザーの会計システム２０の端末２５の画面上に、会計証拠書類６０と、複数の取引明細の各々の仕訳データ３に対応する仕訳を含む仕訳日記帳（元帳）７とを関連して表示するように構成された閲覧サポートユニット（サポート機能、サポートモジュール）１９を含む。ユーザー端末２５の照合ユニット（突き合わせ機能、照合機能、照合モジュール）２６は、会計支援システム１０に用意された閲覧サポートユニット１９を介して仕訳日記帳７を表示してもよい。閲覧サポートユニット１９は、ユーザー端末２５の照合機能（突き合わせモジュール）２６に含まれていてもよく、クラウド９を介して仕訳表示データ５および仕訳データ３などの仕訳日記帳７を表示するために必要なデータを使用して以下のサービスを提供してもよい。ユーザー端末２５は、これらのデータを予めダウンロードして、スタンドアロンのシステムとして以下のサービスを提供してもよい。
【００４３】
閲覧サポートユニット１９は、端末２５の画面に表示された仕訳日記帳７に含まれる第１の仕訳をクリックなどにより選択すると、仕訳表示データ５に基づいて、画面に表示された会計証拠書類６０の中の、複数の取引明細の中の第１の仕訳の仕訳データ３に対応する第１の取引明細に該当する行（領域）を示す第１の機能１９ａを含む。閲覧サポートユニット１９は、さらに、画面に表示された会計証拠書類６０に含まれる第２の取引明細に該当する行（領域）をクリックなどにより選択すると、仕訳表示データ５に基づいて、画面に表示された仕訳日記帳７の中の、第２の取引明細に対応する仕訳データ３を表示する第２の仕訳を示す第２の機能１９ｂを含む。閲覧サポートユニット１９は、ユーザーの会計システム２０の端末２５にダウンロード可能なアプリケーションとして提供されてもよく、ＨＴＴＰなどのプロトコルを用いて端末２５のウェブブラウザによりクラウド９を介して閲覧を可能とするウェブサーバーとして提供されてもよい。
【００４４】
図５〜図７に、閲覧サポートユニット（閲覧エンジン）１９により提供される端末２５の画面２５ａに表示される幾つかの例を示している。図５は、会計証拠書類６０ａが１つの取引明細を含む際の表示例であり、画面２５ａには、仕訳日記帳７と、証拠書類６０ａとが並列に表示され、仕訳日記帳７に含まれる複数の仕訳データ３に対応した仕訳３００の中の、表示されている証拠書類６０ａに対応する仕訳３０１がハイライトされる。ハイライトされる方法は、仕訳日記帳７の該当する仕訳３０１の表示色を変えてもよく、表示フォントを変えてもよく、仕訳３０１を示す行を囲う表示を変えてもよく、その他の様々な表示形態を採用できる。
【００４５】
仕訳日記帳７に含まれる複数の仕訳３００の中の特定の仕訳３０１が、画面２５ａをクリックするなどの手段により選択されると、閲覧エンジン１９の第１の機能１９ａにより、仕訳表示データ５に基づいて、会計支援システム１０のデータベース１２に保存されている会計証拠書類の画像データ２の中から、その仕訳３０１の仕訳データ３に対応する会計証拠書類６０ａの画像データ２が選択され、画面２５ａに表示されてもよい。証拠書類６０ａの画像は、画面２５ａに、仕訳日記帳７と並列に、例えば左右に分かれて表示されてもよく、上下に分かれて表示されてもよく、証拠書類６０ａがポップアップ画面として表示されてもよく、証拠書類６０ａとそれに対応する仕訳３０１の詳細とのみが、別画面または小画面で対比できるように表示されてもよい。証拠書類６０ａに含まれる仕訳対象の取引が１組の場合は、取引を特定する部分（行）がハイライトされてもよく、ハイライトされなくてもよい。
【００４６】
会計支援システム１０のデータベース１２に保存されている、特定のユーザーから提供された複数の証拠書類の画像の中から、特定の証拠書類６０ａが選択されると、閲覧エンジン１９の第２の機能１９ｂにより、仕訳表示データ５に基づいて、その証拠書類６０ａに対応する仕訳データ３に対応する仕訳３０１を含む仕訳日記帳７のページが画面２５ａに表示され、該当する仕訳データ３の仕訳３０１がハイライトされるようにしてもよい。
【００４７】
図６は、会計証拠書類６０が複数の取引明細を含む際の表示例であり、画面２５ａには、仕訳日記帳７と、複数の取引明細を示す証拠書類６０とが並列に表示され、仕訳日記帳７に含まれる複数の仕訳データ３に対応した複数の仕訳３００の中の仕訳（第１の仕訳）３０２と、証拠書類６０に表示されている複数の取引明細の中の、仕訳３０２に対応する取引明細（第１の取引明細）の行（領域）８５ａとがハイライトされる。閲覧エンジン１９の第１の機能１９ａにより、仕訳日記帳７に含まれる複数の仕訳３００の中で、第１の仕訳３０２が選択されると、仕訳表示データ５に基づいて、会計支援システム１０に保存されている会計証拠書類の画像データ２の中から、その仕訳３０２の仕訳データ３に対応する会計証拠書類６０の画像データ２が選択されて表示される。さらに、証拠書類６０の中の第１の仕訳３０２に該当する第１の取引の領域８５ａがハイライト表示される。
【００４８】
閲覧エンジン１９の第２の機能１９ｂにより、会計支援システム１０に保存されている、特定のユーザーから提供された複数の証拠書類の画像の中から証拠書類６０が選択されると、その証拠書類６０に含まれる取引に関する仕訳が含まれる仕訳日記帳７の該当ページが、証拠書類６０とともに画面２５ａに表示されてもよい。さらに、証拠書類６０に含まれる複数の取引の中から、第１の取引の領域８５ａが、画面をクリックするなどの方法により選択されると、仕訳表示データ５に基づいて、その取引に対応する仕訳３０２を含む仕訳日記帳７のページが表示され、該当する仕訳３０２がハイライトされるようにしてもよい。
【００４９】
図７は、会計証拠書類６０が複数の取引明細を含む際の表示例であり、画面２５ａには、仕訳日記帳７と、複数の取引明細を示す証拠書類６０とが左右に並列に表示されている。証拠書類６０の第２の取引明細の行８５ｂが画面２５ａをクリックするなどの方法で選択されると、その行８５ｂが行８５ａに代わってハイライトされ、第２の機能１９ｂにより、仕訳表示データ５に基づいて、仕訳日記帳７の、第２の取引明細の仕訳データ３に対応する第２の仕訳３０３がハイライトされる。逆に、仕訳日記帳７に含まれる複数の仕訳３００の中の仕訳３０２に続く、第２の仕訳３０３が選択されると、第１の機能１９ａにより、仕訳表示データ５に基づいて、証拠書類６０に表示されている複数の取引明細の中の、第２の仕訳３０３と、それに対応する第２の取引明細の行（領域）８５ｂとがハイライトされてもよい。
【００５０】
この場合も、仕訳３０２の代わりに仕訳３０３が選択されると、第１の機能１９ａにより、仕訳表示データ５に基づいて、証拠書類６０のハイライトが、取引明細の行８５ａから行８５ｂにシフトしてもよい。なお、仕訳３００の１つに対応する、証拠書類６０に含まれる取引明細は１つに限定されず、複数であってもよい。仕訳３００に対応する証拠書類６０に含まれる取引明細は連続して記載されたものでなくてもよく、断続的に記載されたものであってもよい。
【００５１】
さらに、閲覧サポートユニット１９は、証拠書類６０に含まれる各々の取引明細に対応して自動的に生成された複数の仕訳３００を、画面２５ａの上で、マージして１つの仕訳３００として仕訳日記帳７に記載されるように更新するユニット（機能、モジュール）１９ｃを含んでいてもよい。更新ユニット１９ｃは、例えば、税率が異なる取引に対応する仕訳３００を、税率毎にまとめた仕訳となるように自動更新する機能を備えていてもよい。更新ユニット１９ｃは、複数の取引に対応する行８５ａ〜８５ｃの内、税率等の要件から１つの仕訳３００として纏められる取引を自動的にハイライトする機能を備えていてもよい。さらに、更新ユニット１９ｃは、自動的に生成された仕訳３００を複数に分割する機能を含んでいてもよい。
【００５２】
このように、閲覧サポートユニット（閲覧エンジン）１９は、１つの画面２５ａに、仕訳日記帳７に含まれる仕訳３００と、その仕訳３００に対応する仕訳データ３の証拠となる証拠書類６０または６０ａの画像とを並列に表示する。このため、ユーザーの会計担当者は、会計支援システム１０により自動仕訳された仕訳データ３（仕訳３００）と、その証拠となる書類６０または６０ａの記載内容とを簡単に突き合わせて照合することができる。さらに、１つの証拠書類６０に複数の取引明細が含まれる場合であっても、それぞれの取引明細の領域８５ａおよび８５ｂと、それに対応する仕訳データ３に対応する仕訳３０２および３０３とが、それぞれ対応して表示される。このため、それぞれの取引明細に関する仕訳データ３と、取引の記載内容とを簡単に突き合わせて照合することができる。したがって、ユーザーの会計担当者が、会計支援システム１０において自動仕訳された内容の確認に要する労力および時間を大幅に低減できる。
【００５３】
図８に、会計支援システム１０における処理の概要をフローチャートにより示している。ステップ５１において、ユーザーの会計システム２０より、会計証拠書類６０となる証憑類の画像データ（第１の画像データ）２が、クラウド９に接続されたインターフェイスユニット１１を介して入力される。ステップ５２において、文字情報を取得するＯＣＲユニット１３が、画像データ２から文字情報３１と、表示位置の情報３２とを関連付けして読み取り、ステップ５３において、文字情報照合ユニット１４が、分割された文字情報（部分文字情報）３１と、分割された画像データ（部分画像データ）３５とをクラウド９に接続された１または複数の作業者９５に分配し、作業者９５が照合した結果を収集する。部分画像データ３５は、照合が不要な部分文字情報３１に該当する画像データが除かれた画像データ（照合用の画像データ）９０であってもよい。
【００５４】
図９に、文字情報照合ユニット１４において、照合用画像データ生成ユニット１４ａを用いて、照合用の画像データ９０を生成してクラウドワーカー９５に提供する処理の一例を示している。ステップ５３０において、ＯＣＲユニット１３から、会計証拠書類（証憑）６０の部分文字情報３１と対応する表示位置情報３２とを取得する。ステップ５３１において、表示位置情報３２に基づいて、部分文字情報３１を所定のルールに沿って並び替えて証憑６０をデータ的に再現し、メモリに保存する。例えば、表示位置情報３２に基づいて、部分文字情報３１を、証憑６０の上側および左側を優先して並び替えて保存する。ステップ５３２において、並び替えられた部分文字情報３１に連番を付す。
【００５５】
ステップ５３３において、並び替えられた部分文字情報３１の順番と内容とを参照して、証憑６０の種別、例えば、「請求書」、「領収書」などを判断する。並び替えられた部分文字情報３１の中で、上下または左右に連続する文字情報が、予め登録された証憑６０の種別を示す単語と一致するものがあれば、証憑６０の種別を特定できる。さらに、その部分文字情報３１の表示位置情報３２から証憑６０の画像データ２の向きを確認でき、向きが異なれば、９０度回転するなどの処理により所定の向きに部分文字情報３１を並び替えて連番を付与しなおすことができる。証憑６０の種別が判明すると、その種別、例えば、「請求書」にしたがった幾つかの表示形式を参照して、ＯＣＲユニット１３により読み取られた文字情報３１を、より精度よく解析できる。
【００５６】
ステップ５３４において、ログインアカウントにより、会計支援システム１０にログインしたユーザーの名称を判断する。この例では、図４に示すように、会計証拠書類６０のユーザーの会社名６５を秘匿して、クラウドワーカー９５に提供し、文字情報を照合する。そのため、秘匿する文字情報の内容を、ログインアカウントを利用して自動的に生成している。クラウドワーカー９５に対して秘匿する文字情報は、請求書などの特定の会計証拠書類６０のフォーマットを参照して選択してもよく、ユーザー毎に設定されていてもよく、ランダムに選択されてもよい。
【００５７】
ステップ５３５において、秘匿する文字情報を、読み取られた部分文字情報３１から検索し、ステップ５３６において、該当する部分文字情報に付された連番に対応する表示位置情報３２を取得する。本例においては、図４に示すように、請求元（会社名）６５と、口座情報６９と該当する文字情報が含まれており、それらに対応する連番が抽出される。ステップ５３７において、表示位置情報３２に基づき、秘匿する部分文字情報に対応する部分画像データ３５ａを取得し、その部分画像データ３５ａを縮小した後に拡大してモザイク画像に変換する。ステップ５３８で、変換した部分画像データ３５ａを会計証拠書類６０の画像に戻して、照合用の画像データ９０を生成する。ステップ５３９において、照合対象の文字情報３１と、照合用の画像データ９０とをクラウドワーカー９５に提供し、照合結果を取得する。
【００５８】
図８に戻り、作業者９５により確認された文字情報３１を用いて、ステップ５４において、取引明細自動判別ユニット１５により、１つの会計証拠書類６０に含まれている複数の取引明細を自動的に判別する。先ず、ステップ５４ａにおいて、合計金額抽出ユニット１５ａにより、文字情報３１の中から合計金額に相当する数値情報を抽出する。ステップ５４ｂにおいて、取引明細抽出ユニット１５ｂにより、合計金額に対応する数値情報の組み合わせ（第１の組み合わせ）７９を、取引金額の組み合わせとして抽出し、その第１の組み合わせに含まれる数値情報を含む行あるいは領域の文字情報３１をそれぞれ仕訳対象データ４として抽出する。
【００５９】
ステップ５５において、自動仕訳エンジン１６により、仕訳対象データ４を仕訳けして、仕訳日記帳７に仕訳（エントリー）として表示される仕訳データ３を生成する。ステップ５６において、仕訳表示データ生成ユニット１７により、仕訳データ３と、証拠書類６０に含まれている複数の取引明細のそれぞれの表示領域（部分画像データ）８５ａ〜８５ｃとを関連付けした仕訳表示データ５を生成し、利用可能とする。ステップ５７において、閲覧サポートユニット１９が、会計支援システム１０から提供される仕訳表示データ５を用いて、ユーザーの会計システム２０の照合機能２６における仕訳日記帳７の表示をサポートし、ユーザーの会計担当者が仕訳結果（仕訳日記帳の仕訳内容）を確認できるようにする。仕訳結果が確認されると、ステップ５８において、会計システム２０からのダウンロード要求により、仕訳データ３をユーザーの会計システム２０に供給する。ユーザーの会計システム２０においては、仕訳データ３を会計システム２０に組み込まれている会計ソフトに供給し、その後の会計処理を行う。
【００６０】
図１０に、ユーザーの会計システム２０において、照合機能（突き合わせユニット、突き合わせモジュール）２６により、会計証拠書類６０と仕訳日記帳７の仕訳３００とを突き合わせする過程を示している。ステップ５７１において、図６に示すように、複数の取引明細を含む会計証拠書類６０と、複数の取引明細の各々の仕訳３００を含む仕訳日記帳７とを、ユーザーの会計システム２０の端末２５の画面２５ａ上に表示する。このプロセスの最初としては、会計証拠書類６０または仕訳日記帳７のいずれか一方のみが表示されていてもよい。
【００６１】
ステップ５７２において、画面２５ａに表示された仕訳日記帳７に含まれる第１の仕訳３０２をクリックなどの動作（処理）により選択されると、ステップ５７４において、仕訳表示データ５に基づいて、閲覧サポートユニット１９により、画面２５ａに表示された会計証拠書類６０の中の、複数の取引明細の中の第１の仕訳３０２に対応する第１の取引明細に該当する行または領域８５ａがハイライトなどの処理により示される。画面２５ａに、予め該当する会計証拠処理６０が表示されていなければ、第１の仕訳３０２が選択された段階で、閲覧サポートユニット１９は、その仕訳３０２に該当する取引が含まれる会計証拠書類６０の画像データ２を取得し、画面２５ａに表示する処理を同時に行う。
【００６２】
ステップ５７３において、図７に示したように、画面２５ａに表示された会計証拠書類６０に含まれる第２の取引明細に該当する行または領域８５ｂがクリック等により選択されると、ステップ５７５において、仕訳表示データ５に基づいて、閲覧サポートユニット１９により、画面２５ａに表示された仕訳日記帳７の中の、第２の取引明細に対応する第２の仕訳３０３がハイライトなどの処理により示される。画面２５ａに、予め該当する仕訳３０３が含まれている仕訳日記帳（元帳）７が表示されていなければ、第２の取引明細の領域８５ｂが選択された段階で、閲覧サポートユニット１９は、その取引明細８５ｂに該当する仕訳が含まれる仕訳日記帳７を画面２５ａに表示する処理を同時に行う。
【００６３】
この会計支援システム１０がサポートする会計サービスシステム１におけるユーザーは、会計処理が必要となる法人あるいは個人であってもよく、個人あるいは会社を顧問先とする会計事務所および税理士事務所であってもよい。ユーザーは、会計証拠書類６０となる証憑類の画像データ２を会計支援システム１０にクラウド９を介して提供することにより、自動仕訳された結果が得られるとともに、仕訳データ３を含む仕訳日記帳７と証拠書類６０とを、ユーザーの会計システム２０の画面２５ａに表示させることで、簡単に突合せできる。さらに、会計支援システム１０は、１つの証拠書類６０に複数の取引明細が含まれている場合であっても、画面２５ａの上に、１つの証拠書類６０に含まれている個々の取引明細と、それに対応する仕訳３００とを視覚的に関連付けして、対比できる状態で表示できる。このため、ユーザーの会計担当者は、会計支援システム１０により、自動仕訳された結果と、証拠書類に記載された明細の内容とを、きわめて容易に、また短時間に、照合することが可能となり、仕訳の作成・突合せに要する労力を大幅に低減できる。
【００６４】
なお、上記おいて開示した証憑、画像および画面の表示は一例であり、本発明はこれらの記載および表示に限定されるものではない。また、上記において、図面を参照して本発明の特定の実施形態を説明したが、様々な他の実施形態および変形例は本発明の範囲および精神から逸脱することなく当業者が想到し得ることであり、そのような他の実施形態および変形は以下の請求の範囲の対象となり、本発明は以下の請求の範囲により規定されるものである。
【符号の説明】
【００６５】
１０  会計支援システム
【図１】
2020170566.tif 000003
【図２】
2020170566.tif 000004
【図３】
2020170566.tif 000005
【図４】
2020170566.tif 000006
【図５】
2020170566.tif 000007
【図６】
2020170566.tif 000008
【図７】
2020170566.tif 000009
【図８】
2020170566.tif 000010
【図９】
2020170566.tif 000011
【図１０】
2020170566.tif 000012